【手続補正書】
【提出日】平成17年1月13日(2005.1.13)
【手続補正１】
【補正対象書類名】明細書
【補正対象項目名】発明の名称
【補正方法】変更
【補正の内容】
【発明の名称】携帯機器および同機器の外部機器接続制御方法
【手続補正２】
【補正対象書類名】明細書
【補正対象項目名】特許請求の範囲
【補正方法】変更
【補正の内容】
【特許請求の範囲】
【請求項１】
動作用電源をオン制御可能な外部機器を接続する接続手段と、
前記接続手段に前記外部機器が接続された状態を検知する検知手段と、
前記検知手段が前記接続手段に前記外部機器が接続された状態を検知したとき、前記接続手段に接続された外部機器の電源状態を調べ、前記データ授受が可能な電源オン状態にないとき前記外部機器を前記データ授受が可能な電源オン状態に制御して前記外部機器との間でデータ授受を行う制御手段と
を具備したことを特徴とする携帯機器。
【請求項２】
前記検知手段は、前記外部機器が前記接続手段から切り離されたことを検知する接続解除検知手段をさらに具備し、
前記制御手段は、前記接続解除検知手段で前記外部機器が前記接続手段から切り離されたことを検知したとき、所定の処理を実行する若しくは実行可能にする処理手段をさらに具備したことを特徴とする請求項１記載の携帯機器。
【請求項３】
前記制御手段は、前記外部機器を介して外部のサーバからダウンロードされたプログラムデータを入力するデータ授受、若しくは前記外部機器を介して外部のサーバからダウンロードされたコンテンツデータを入力するデータ授受、若しくは前記外部機器を介して外部のサーバからダウンロードされたプログラムデータおよびコンテンツデータを入力するデータ授受を行い、前記所定の処理として前記ダウンロードされたプログラムの実行処理、若しくは前記ダウンロードされたコンテンツデータの再生出力処理を行う請求項２記載の携帯機器。
【請求項４】
前記ダウンロードしたコンテンツデータは音楽配信サーバより配信されたサウンドデータである請求項３記載の携帯機器。
【請求項５】
前記接続手段は前記音楽配信サーバと通信が可能な外部機器を信号ケーブルを介して接続するインタフェース手段を具備する請求項４記載の携帯機器。
【請求項６】
前記検知手段および制御手段は、電源がオン状態にない待機状態で動作し、
前記制御手段は、前記検知手段が前記接続手段に前記外部機器が接続された状態を検知したとき、前記接続手段に接続された機器各々の電源状態を調べ、前記データ授受が可能な電源オン状態にないとき前記外部機器を前記データ授受が可能な電源オン状態に制御することを特徴とする請求項１乃至５のいずれかに記載の携帯機器。
【請求項７】
動作用電源をオン制御可能な外部機器を接続する接続手段を有し、前記接続手段に接続された前記外部機器との間で前記接続手段を介してデータ授受を行う携帯機器の外部機器接続制御方法であって、
前記接続手段に前記外部機器が接続された状態を検知する検知ステップと、
前記検知ステップで前記接続手段に前記外部機器が接続された状態を検知したとき、前記接続手段に接続された外部機器の電源状態を調べ、前記データ授受が可能な電源オン状態にないとき前記外部機器を前記データ授受が可能な電源オン状態に制御して前記外部機器との間で前記データ授受を行う制御ステップと、
を具備したことを特徴とする携帯機器の外部機器接続制御方法。
【請求項８】
前記外部機器が前記接続手段から切り離されたことを検知する接続解除検知ステップと、
前記接続解除検知ステップで前記外部機器が前記接続手段から切り離されたことを検知したとき、所定の処理を実行する若しくは実行可能にする処理ステップと
をさらに具備したことを特徴とする請求項７記載の携帯機器の外部機器接続制御方法。
【請求項９】
前記データ授受は、前記外部機器を介して外部のサーバからダウンロードされたプログラム若しくはコンテンツデータを入力するデータ授受であり、前記所定の処理は、前記ダウンロードされたプログラムの実行処理、若しくは前記ダウンロードされたコンテンツデータの再生出力処理である請求項８記載の携帯機器の外部機器接続制御方法。
【請求項１０】
前記ダウンロードしたコンテンツデータには少なくとも音楽配信サーバより配信されたデータが含まれる請求項９記載の携帯機器の外部機器接続制御方法。
【請求項１１】
前記外部機器接続手段は前記音楽配信サーバと通信が可能な外部機器を接続するインタフェースケーブルを具備する請求項１０記載の携帯機器の外部機器接続制御方法。
【手続補正３】
【補正対象書類名】明細書
【補正対象項目名】０００１
【補正方法】変更
【補正の内容】
【０００１】
【発明の属する技術分野】
本発明は、外部機器を接続する接続手段を有し、この接続手段に接続された外部機器との間で上記接続手段を介してデータ授受を行う携帯機器および同機器の外部機器接続制御方法に関する。
【手続補正４】
【補正対象書類名】明細書
【補正対象項目名】０００２
【補正方法】削除
【補正の内容】
【手続補正５】
【補正対象書類名】明細書
【補正対象項目名】０００５
【補正方法】変更
【補正の内容】
【０００５】
本発明は上記実情に鑑みなされたもので、単独で動作可能な複数の携帯機器を相互に接続して所定の機能をもつ処理を実行させようとした際に、簡単な操作で円滑かつ迅速に所定の機能をもつ処理を実行させることのできる、ユーザの操作負担を著しく軽減した使い勝手のよい携帯機器および同機器の外部機器接続制御方法を提供することを目的とする。
【手続補正６】
【補正対象書類名】明細書
【補正対象項目名】０００６
【補正方法】変更
【補正の内容】
【０００６】
また、本発明は、携帯型オーディオプレーヤと携帯電話機とを接続して、音楽配信サーバより携帯電話機を介しオーディオプレーヤに音楽ファイルをダウンロードする際、若しくは上記音楽配信サーバ、パーソナルコンピュータ等よりオーディオプレーヤにダウンロードしたファイルを編集処理する際等に於いて、それらの操作を簡単にしかも迅速かつ円滑に効率よく行うことのできる、使い勝手のよい携帯機器および同機器の外部機器接続制御方法を提供することを目的とする。
【手続補正７】
【補正対象書類名】明細書
【補正対象項目名】０００８
【補正方法】変更
【補正の内容】
【０００８】
即ち、本発明に係る携帯機器は、動作用電源をオン制御可能な外部機器を接続する接続手段と、前記接続手段に前記外部機器が接続された状態を検知する検知手段と、前記検知手段が前記接続手段に前記外部機器が接続された状態を検知したとき、前記接続手段に接続された外部機器の電源状態を調べ、前記データ授受が可能な電源オン状態にないとき前記外部機器を前記データ授受が可能な電源オン状態に制御して前記外部機器との間でデータ授受を行う制御手段とを具備したことを特徴とする。
【手続補正８】
【補正対象書類名】明細書
【補正対象項目名】０００９
【補正方法】変更
【補正の内容】
【０００９】
また、本発明は、動作用電源をオン制御可能な外部機器を接続する接続手段を有し、前記接続手段に接続された前記外部機器との間で前記接続手段を介してデータ授受を行う携帯機器の外部機器接続制御方法であって、前記接続手段に前記外部機器が接続された状態を検知する検知ステップと、前記検知ステップで前記接続手段に前記外部機器が接続された状態を検知したとき、前記接続手段に接続された外部機器の電源状態を調べ、前記データ授受が可能な電源オン状態にないとき前記外部機器を前記データ授受が可能な電源オン状態に制御して前記外部機器との間で前記データ授受を行う制御ステップとを具備したことを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００６０
【補正方法】変更
【補正の内容】
【００６０】
【発明の効果】
以上詳記したように本発明によれば、単独で動作可能な複数の携帯機器を相互に接続して所定の機能をもつ処理を実行させようとした際に、簡単な操作で円滑かつ迅速に所定の機能をもつ処理を実行させることができる。
【手続補正１３】
【補正対象書類名】明細書
【補正対象項目名】００６１
【補正方法】変更
【補正の内容】
【００６１】
また、本発明によれば、駆動機構を持たない携帯型オーディオプレーヤと携帯電話機とを接続して、音楽配信サーバより携帯電話機を介しオーディオプレーヤに音楽ファイルをダウンロードする際、若しくは上記音楽配信サーバ、パーソナルコンピュータ等よりオーディオプレーヤにダウンロードしたファイルを編集処理する際等に於いて、それらの操作を簡単にしかも迅速かつ円滑に効率よく行うことができる。